(57)【要約】  撮影時の観察内容を利用可能とする。  コンソールでは、モダリティにおいて患者を撮影して得られた画像データが取得される（ステップＳ３）。そして、診療放射線技師により、モダリティでの撮影時における患者の様子を示す観察内容が入力され（ステップＳ４）、入力された観察内容がＫＯＳＤデータに保存される（ステップＳ５）。次に、コンソールにより、画像データとＫＯＳＤデータとが共に画像管理サーバに送信される（ステップＳ６）。画像データとＫＯＳＤデータとは、同一の患者情報及び検査情報が付帯されることにより、対応付けられている。画像管理サーバでは、画像データとＫＯＳＤデータとが保存される（ステップＳ７）。画像ビューワ端末では、画像管理サーバから取得した画像データ及びＫＯＳＤデータに基づいて、医用画像と観察内容が表示される（ステップＳ１１）。
2011083608.tif 000002
【特許請求の範囲】
【請求項１】
モダリティを制御する撮影制御装置であって、
患者を撮影して得られた画像データを前記モダリティから取得する画像データ取得手段と、
前記モダリティでの撮影時における患者の様子を示す観察内容を入力するための操作手段と、
前記入力された観察内容を前記画像データと対応付けて画像管理サーバに送信する制御手段と、
を備える撮影制御装置。
【請求項２】
前記制御手段は、前記入力された観察内容をＤＩＣＯＭ規格に準拠したＫＯＳＤデータとして前記画像管理サーバに送信する、
請求項１に記載の撮影制御装置。
【請求項３】
モダリティを制御するコンピュータを、
患者を撮影して得られた画像データを前記モダリティから取得する画像データ取得手段、
前記モダリティでの撮影時における患者の様子を示す観察内容を入力するための操作手段、
前記入力された観察内容を前記画像データと対応付けて画像管理サーバに送信する制御手段、
として機能させるためのプログラム。
【発明の詳細な説明】
【技術分野】
【０００１】
本発明は、撮影制御装置及びプログラムに関する。
【背景技術】
【０００２】
従来、患者の診断対象部位を放射線撮影して得られた画像によって診断を行う画像検査が普及している。画像検査は、診療放射線技師による検査実施（撮影）と、読影医による画像診断（読影）の組合せで、患者の病状を判断する検査である。例えば、インフルエンザ判定等の検査結果と合わせて、胸部画像の撮影を行うことで、病名診断の精度を向上させることができる。【０００３】
読影医は、画像診断を行って読影レポートを作成する。このレポートの作成を支援するために、ＰＡＣＳ（Picture Archiving and Communication System）や心電計等の様々なデータ形式の検査結果に対するレポートを作成する電子的レポート作成支援装置において、予め用意されている複数のテンプレートから検査目的に応じたテンプレートを選択し、テンプレートのレイアウトに基づいて、自動的に各検査装置から検査結果を取得し、貼り付けるものが提案されている（特許文献１参照）。
【先行技術文献】
【特許文献】
【０００４】
【特許文献１】国際公開第２００３／００１４２１号
【発明の概要】
【発明が解決しようとする課題】
【０００５】
しかし、一般に、読影医は、読影室で患者の撮影画像のみを用いて画像診断を行うため、患者と直接接することはない。診療放射線技師が撮影時に患者について気付いた観察内容を記録するためには、撮影画像をＰＡＣＳに保存した後に、読影医と同様にレポートシステムを利用して該当画像を参照し、レポートを作成する必要があり、診療放射線技師が観察内容を記録することはほとんどなかった。このため、読影医は、撮影時の患者の様子を知ることはできなかった。【０００６】
本発明は上記の従来技術における問題に鑑みてなされたものであって、撮影時の観察内容を利用可能とすることを課題とする。
【課題を解決するための手段】
【０００７】
上記課題を解決するために、請求項１に記載の発明は、モダリティを制御する撮影制御装置であって、患者を撮影して得られた画像データを前記モダリティから取得する画像データ取得手段と、前記モダリティでの撮影時における患者の様子を示す観察内容を入力するための操作手段と、前記入力された観察内容を前記画像データと対応付けて画像管理サーバに送信する制御手段と、を備える。【０００８】
請求項２に記載の発明は、請求項１に記載の撮影制御装置において、前記制御手段は、前記入力された観察内容をＤＩＣＯＭ規格に準拠したＫＯＳＤデータとして前記画像管理サーバに送信する。【０００９】
請求項３に記載の発明は、モダリティを制御するコンピュータを、患者を撮影して得られた画像データを前記モダリティから取得する画像データ取得手段、前記モダリティでの撮影時における患者の様子を示す観察内容を入力するための操作手段、前記入力された観察内容を前記画像データと対応付けて画像管理サーバに送信する制御手段、として機能させるためのプログラムである。
【発明の効果】
【００１０】
請求項１、３に記載の発明によれば、観察内容が画像データと対応付けられるので、撮影時の観察内容を利用することができる。【００１１】
請求項２に記載の発明によれば、ＫＯＳＤデータを用いて観察内容を記録することができる。
【図面の簡単な説明】
【００１２】
【図１】医用画像システムのシステム構成図である。
【図２】コンソールの機能的構成を示すブロック図である。
【図３】ＤＩＣＯＭ準拠画像データのデータ構成を示す図である。
【図４】ＤＩＣＯＭ準拠ＫＯＳＤデータのデータ構成を示す図である。
【図５】検査時における観察内容が記録されたＫＯＳＤデータの使用例である。
【図６】画像管理サーバの機能的構成を示すブロック図である。
【図７】同一患者、同一検査のＤＩＣＯＭ準拠画像データと、ＤＩＣＯＭ準拠ＫＯＳＤデータと、の対応関係を示す図である。
【図８】画像ビューワ端末の機能的構成を示すブロック図である。
【図９】医用画像システムにおいて実行される処理を示すラダーチャートである。
【図１０】コンソールに表示されるコンソール画面の例である。
【図１１】画像ビューワ端末に表示されるリスト画面の例である。
【図１２】画像ビューワ端末に表示される読影画面の例である。
【発明を実施するための形態】
【００１３】
［医用画像システムのシステム構成］
以下、図面を参照して、本発明の実施の形態について説明する。
図１に、医用画像システム１００のシステム構成を示す。図１に示すように、医用画像システム１００は、モダリティ１０と、コンソール２０と、画像管理サーバ３０と、画像ビューワ端末４０と、レポートシステム５０と、電子カルテシステム６０と、図示しないその他の装置とから構成されており、モダリティ１０を除く各装置は通信ネットワークＮを介してデータ通信可能に接続されている。
【００１４】
モダリティ１０は、患者の診断対象部位を被写体として撮影を行い、医用画像の画像データを生成する画像生成装置である。モダリティ１０としては、ＣＲ（Computed Radiography）装置、ＣＴ（Computed Tomography）装置、ＭＲＩ（Magnetic Resonance Imaging）装置等が用いられる。
【００１５】
コンソール２０は、図示しないＲＩＳ（Radiological Information System：放射線情報システム）から受信した撮影オーダ情報に従って、モダリティ１０を制御する撮影制御装置である。コンソール２０とモダリティ１０とは、専用のケーブルを介してデータ通信可能に接続されている。
【００１６】
図２に、コンソール２０の機能的構成を示す。図２に示すように、コンソール２０は、制御部２１、操作部２２、表示部２３、通信部２４、ＲＯＭ（Read Only Memory）２５、記憶部２６、通信Ｉ／Ｆ（InterFace）２７を備えて構成され、各部はバス２８により接続されている。
【００１７】
制御部２１は、ＣＰＵ（Central Processing Unit）、ＲＡＭ（Random Access Memory）等から構成され、コンソール２０の各部の処理動作を統括的に制御する。具体的には、ＣＰＵは、操作部２２から入力される操作信号又は通信部２４により受信される指示信号に応じて、ＲＯＭ２５に記憶されている各種処理プログラムを読み出し、ＲＡＭ内に形成されたワークエリアに展開し、当該プログラムとの協働により各種処理を行う。
【００１８】
操作部２２は、カーソルキー、文字入力キー、及び各種機能キー等を備えたキーボードと、マウス等のポインティングデバイスを備えて構成され、キーボードに対するキー操作やマウス操作により入力された操作信号を制御部２１に出力する。操作部２２は、ユーザ（診療放射線技師）がモダリティ１０での撮影時における患者の様子を示す観察内容を入力する際に用いられる。観察内容としては、患者と接して気付いた外見上の様子（顔色が悪い等）や、咳・くしゃみ・嘔吐等の症状等が含まれる。
【００１９】
表示部２３は、ＬＣＤ（Liquid Crystal Display）により構成され、制御部２１から入力される表示データに基づいて各種画面を表示する。
【００２０】
通信部２４は、ＬＡＮ（Local Area Network）アダプタ、ルータ、ＴＡ（Terminal Adapter）等を備え、通信ネットワークＮを介して接続された画像管理サーバ３０等の外部機器との間でデータの送受信を行う。
【００２１】
ＲＯＭ２５は、不揮発性の半導体メモリ等により構成され、各種処理プログラム、当該プログラムの実行に必要なパラメータやファイル等を記憶している。
【００２２】
記憶部２６は、半導体メモリやハードディスク等から構成される記憶装置である。記憶部２６には、ＤＩＣＯＭ（Digital Imaging and Communications in Medicine）規格に準拠したＤＩＣＯＭ準拠画像データ、ＤＩＣＯＭ準拠ＫＯＳＤ（Key Object Selection Document）データ等が記憶される。
【００２３】
通信Ｉ／Ｆ２７は、モダリティ１０との間でデータ通信を行うためのインターフェースである。
【００２４】
制御部２１は、通信Ｉ／Ｆ２７を介してモダリティ１０を制御して患者の撮影を行わせ、モダリティ１０において生成された医用画像の画像データを取得する。そして、制御部２１は、画像データにＤＩＣＯＭ規格に則って患者情報、検査情報、シリーズ情報等を付帯させ、ＤＩＣＯＭ規格に準拠したＤＩＣＯＭ準拠画像データを生成し、生成したＤＩＣＯＭ準拠画像データを、通信部２４を介して画像管理サーバ３０に送信する。
【００２５】
図３に、ＤＩＣＯＭ準拠画像データのデータ構成を示す。ＤＩＣＯＭ準拠画像データは、患者情報、検査情報、シリーズ情報等の付帯情報と、画像データと、から構成される。患者情報は、患者ＩＤ、患者氏名、性別、生年月日、年齢、身長、体重等の患者に関する情報である。検査情報は、検査を識別するための検査ＵＩＤ、実施者、受付番号等の検査に関する情報である。シリーズ情報は、モダリティ（検査種）、撮影条件、撮影日時、シリーズ番号等の、モダリティ毎の一連の医用画像の単位（シリーズ）に関する情報である。
【００２６】
制御部２１は、操作部２２から入力されたモダリティ１０での撮影時における患者の様子を示す観察内容を、ＤＩＣＯＭ準拠画像データと対応付けて画像管理サーバ３０に送信する。具体的に、制御部２１は、ユーザにより操作部２２から入力された観察内容（テキスト）に、患者情報、検査情報、シリーズ情報を付帯させ、ＤＩＣＯＭ規格に準拠したＤＩＣＯＭ準拠ＫＯＳＤデータを生成し、生成したＤＩＣＯＭ準拠ＫＯＳＤデータを、通信部２４を介して画像管理サーバ３０に送信する。すなわち、ＤＩＣＯＭ準拠ＫＯＳＤデータは、対応するＤＩＣＯＭ準拠画像データと同一の患者情報及び検査情報が付帯されることによって、当該ＤＩＣＯＭ準拠画像データと対応付けられている。
【００２７】
なお、観察内容は、表示部２３に表示されたソフトウェアキーボードから入力されることとしてもよいし、ペン入力されることとしてもよい。また、予め定められた定型文の中から選択されることとしてもよい。また、携帯電話機の文字入力形式（あ行のボタンを押す毎に、あ、い、う、え、お、が順に選択される形式）によって入力されることとしてもよい。また、音声入力された音声データを音声認識してテキスト化することとしてもよい。
【００２８】
図４に、ＤＩＣＯＭ準拠ＫＯＳＤデータのデータ構成を示す。ＤＩＣＯＭ準拠ＫＯＳＤデータは、患者情報、検査情報、シリーズ情報等の付帯情報と、ＫＯＳＤデータ（テキストデータ）と、から構成される。ＤＩＣＯＭ準拠ＫＯＳＤデータの場合、シリーズ情報には、ＫＯＳＤ作成日時等が含まれる。
【００２９】
図５は、検査時における観察内容が記録されたＫＯＳＤデータの使用例である。ＤＩＣＯＭタグ（００４０，Ａ０４３）の概念名コードシーケンスには、ＤＩＣＯＭタグ（０００８，０１００）に概念名コードとして「１１３００７」が記録され、ＤＩＣＯＭタグ（０００８，０１０４）にコードの意味として「FOR PATIENT」が記録されている。また、ＤＩＣＯＭタグ（００４０，Ａ０４３）のコンテンツシーケンスには、ＤＩＣＯＭタグ（０００８，１１９９）にコンテンツの種類として「TEXT」が記録され、ＤＩＣＯＭタグ（０００８，１１５５）にテキスト内容として「検査室内で嘔吐」が記録されている。
【００３０】
画像管理サーバ３０は、ＰＡＣＳにより構成され、コンソール２０から送信されるＤＩＣＯＭ準拠画像データ、ＤＩＣＯＭ準拠ＫＯＳＤデータ等を記憶し、管理する。画像管理サーバ３０は、外部機器からＤＩＣＯＭ準拠画像データ、ＤＩＣＯＭ準拠ＫＯＳＤデータの取得要求を受信した場合、当該取得要求に応じたＤＩＣＯＭ準拠画像データ、ＤＩＣＯＭ準拠ＫＯＳＤデータを当該外部機器に送信する。
【００３１】
図６に、画像管理サーバ３０の機能的構成を示す。図６に示すように、画像管理サーバ３０は、制御部３１、操作部３２、表示部３３、通信部３４、ＲＯＭ３５、記憶部３６を備えて構成され、各部はバス３７により接続されている。
【００３２】
制御部３１は、ＣＰＵ、ＲＡＭ等から構成され、画像管理サーバ３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００３３】
操作部３２は、カーソルキー、文字入力キー、及び各種機能キー等を備えたキーボードと、マウス等のポインティングデバイスを備えて構成され、キーボードに対するキー操作やマウス操作により入力された操作信号を制御部３１に出力する。
【００３４】
表示部３３は、ＬＣＤにより構成され、制御部３１から入力される表示データに基づいて各種画面を表示する。
【００３５】
通信部３４は、ＬＡＮアダプタ、ルータ、ＴＡ等を備え、通信ネットワークＮを介して接続されたコンソール２０、画像ビューワ端末４０等の外部機器との間でデータの送受信を行う。
【００３６】
ＲＯＭ３５は、不揮発性の半導体メモリ等により構成され、各種処理プログラム、当該プログラムの実行に必要なパラメータやファイル等を記憶している。
【００３７】
記憶部３６は、半導体メモリやハードディスク等から構成される記憶装置である。記憶部３６には、コンソール２０から受信したＤＩＣＯＭ準拠画像データ、ＤＩＣＯＭ準拠ＫＯＳＤデータ等が記憶される。
【００３８】
図７に、同一患者、同一検査のＤＩＣＯＭ準拠画像データと、ＤＩＣＯＭ準拠ＫＯＳＤデータと、の対応関係を示す。ＤＩＣＯＭ準拠画像データとＤＩＣＯＭ準拠ＫＯＳＤデータは、付帯情報として同一の患者情報、同一の検査情報が付帯されることによって、対応付けられる。
【００３９】
画像ビューワ端末４０は、高精細モニタを有し、当該高精細モニタに医用画像を表示する端末である。
【００４０】
図８に、画像ビューワ端末４０の機能的構成を示す。図８に示すように、画像ビューワ端末４０は、制御部４１、操作部４２、表示部４３、通信部４４、ＲＯＭ４５、記憶部４６を備えて構成され、各部はバス４７により接続されている。
【００４１】
制御部４１は、ＣＰＵ、ＲＡＭ等から構成され、画像ビューワ端末４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００４２】
操作部４２は、カーソルキー、文字入力キー、及び各種機能キー等を備えたキーボードと、マウス等のポインティングデバイスを備えて構成され、キーボードに対するキー操作やマウス操作により入力された操作信号を制御部４１に出力する。
【００４３】
表示部４３は、ＬＣＤにより構成され、制御部４１から入力される表示データに基づいて各種画面を表示する。
【００４４】
通信部４４は、ＬＡＮアダプタ、ルータ、ＴＡ等を備え、通信ネットワークＮを介して接続された画像管理サーバ３０、レポートシステム５０等の外部機器との間でデータの送受信を行う。
【００４５】
ＲＯＭ４５は、不揮発性の半導体メモリ等により構成され、各種処理プログラム、当該プログラムの実行に必要なパラメータやファイル等を記憶している。
【００４６】
記憶部４６は、半導体メモリやハードディスク等から構成される記憶装置である。記憶部４６には、画像管理サーバ３０から取得したＤＩＣＯＭ準拠画像データ、ＤＩＣＯＭ準拠ＫＯＳＤデータ等が記憶される。
【００４７】
制御部４１は、読影医等のユーザによる操作部４２からの操作に基づいて、通信部４４を介して画像管理サーバ３０に患者ＩＤ、患者氏名等の検索条件に合致するデータの取得要求を送信し、当該取得要求に応じたＤＩＣＯＭ準拠画像データ及びＤＩＣＯＭ準拠ＫＯＳＤデータを取得する。そして、制御部４１は、取得したＤＩＣＯＭ準拠画像データ及びＤＩＣＯＭ準拠ＫＯＳＤデータに基づいて、表示部４３に医用画像及び観察内容を表示する。
【００４８】
レポートシステム５０は、医用画像の読影レポートを管理するためのシステムである。レポートシステム５０は、ＣＰＵ及びＲＡＭ等により構成される制御部、ハードディスク等の記憶部、外部機器とのデータ通信を行う通信部等を備える。レポートシステム５０は、画像ビューワ端末４０において読影医が入力した診断内容や、読影対象画像データの付帯情報に基づいて、読影レポートを生成する。
【００４９】
電子カルテシステム６０は、診療録データ（患者の病状や診断結果等の情報）や処方データ等を記憶し、管理する情報処理装置である。電子カルテシステム６０は、ＣＰＵ及びＲＡＭ等により構成される制御部、ハードディスク等の記憶部、外部機器とのデータ通信を行う通信部等を備える。
【００５０】
［医用画像システムの動作］
次に、医用画像システム１００の各装置における動作について説明する。
図９は、モダリティ１０、コンソール２０、画像管理サーバ３０及び画像ビューワ端末４０において実行される処理を示すラダーチャートである。なお、コンソール２０における処理は、制御部２１と、ＲＯＭ２５に記憶されているプログラムとの協働によるソフトウェア処理によって実現される。また、画像管理サーバ３０における処理は、制御部３１と、ＲＯＭ３５に記憶されているプログラムとの協働によるソフトウェア処理によって実現される。また、画像ビューワ端末４０における処理は、制御部４１と、ＲＯＭ４５に記憶されているプログラムとの協働によるソフトウェア処理によって実現される。
【００５１】
まず、モダリティ１０では、コンソール２０の制御に従って患者が撮影され、医用画像の画像データが生成される（ステップＳ１）。そして、生成された画像データは、モダリティ１０からコンソール２０に送信される（ステップＳ２）。
【００５２】
コンソール２０では、制御部２１により、通信部２４を介してモダリティ１０から画像データが取得される（ステップＳ３）。そして、制御部２１により、画像データにＤＩＣＯＭ規格に則って患者情報、検査情報、シリーズ情報等が付帯され、ＤＩＣＯＭ準拠画像データが生成される（図３参照）。
【００５３】
次に、診療放射線技師の操作部２２からの操作により、モダリティ１０での撮影時における患者の様子を示す観察内容が入力される（ステップＳ４）。
【００５４】
図１０に、コンソール２０の表示部２３に表示されるコンソール画面２３１の例を示す。コンソール画面２３１には、患者ＩＤ表示領域２３２、撮影日表示領域２３３、医用画像表示領域２３４、観察テキスト表示領域２３５が含まれる。患者ＩＤ表示領域２３２は、患者ＩＤが表示される領域である。撮影日表示領域２３３は、撮影日が表示される領域である。医用画像表示領域２３４は、モダリティ１０で撮影して得られた画像データに基づいて、医用画像が表示される領域である。観察テキスト表示領域２３５は、操作部２２から入力された観察内容が表示される領域である。
【００５５】
次に、制御部２１により、入力された観察内容がＫＯＳＤデータに保存される（ステップＳ５）。具体的には、制御部２１により、診療放射線技師によって操作部２２から入力された観察内容（テキスト）に患者情報、検査情報、シリーズ情報が付帯され、ＤＩＣＯＭ準拠ＫＯＳＤデータが生成される（図４参照）。
【００５６】
次に、制御部２１により、生成されたＤＩＣＯＭ準拠画像データとＤＩＣＯＭ準拠ＫＯＳＤデータとが共に通信部２４を介して画像管理サーバ３０に送信される（ステップＳ６）。ＤＩＣＯＭ準拠画像データとＤＩＣＯＭ準拠ＫＯＳＤデータとは、同一の患者情報及び検査情報が付帯されることにより、対応付けられている。
【００５７】
画像管理サーバ３０では、通信部３４により、コンソール２０から送信されたＤＩＣＯＭ準拠画像データとＤＩＣＯＭ準拠ＫＯＳＤデータとが受信され、制御部３１により、記憶部３６に保存される（ステップＳ７）。
【００５８】
画像ビューワ端末４０において読影医が画像診断を行う際、操作部４２からの操作に基づいて、患者ＩＤ、患者氏名、検査日等の検索条件が設定され、検索条件に合致するデータの取得要求が通信部４４を介して画像管理サーバ３０に送信される（ステップＳ８）。
【００５９】
画像管理サーバ３０では、画像ビューワ端末４０から検索条件に合致するデータの取得要求が受信されると、検索条件に合致するＤＩＣＯＭ準拠画像データとＤＩＣＯＭ準拠ＫＯＳＤデータとが記憶部３６から読み出され、画像ビューワ端末４０に送信される（ステップＳ９）。
【００６０】
画像ビューワ端末４０では、制御部４１により、通信部４４を介して画像管理サーバ３０からＤＩＣＯＭ準拠画像データとＤＩＣＯＭ準拠ＫＯＳＤデータとが取得される（ステップＳ１０）。取得されたＤＩＣＯＭ準拠画像データ及びＤＩＣＯＭ準拠ＫＯＳＤデータは、制御部４１により、記憶部４６に記憶される。そして、制御部４１により、ＤＩＣＯＭ準拠画像データ及びＤＩＣＯＭ準拠ＫＯＳＤデータに基づいて、医用画像と観察内容とが表示部４３に表示される（ステップＳ１１）。
【００６１】
図１１に、画像ビューワ端末４０の表示部４３に表示されるリスト画面４３１の例を示す。リスト画面４３１には、リスト表示領域４３２、オブジェクト表示領域４３３が含まれる。リスト表示領域４３２は、同一患者、同一検査に属する各シリーズがリスト表示される領域である。リスト表示領域４３２の「モダリティ」欄には、画像データの場合には使用されたモダリティ１０の種類（ＣＴ、ＣＲ等）が表示され、ＫＯＳＤデータの場合には「ＫＯ」と表示される。また、リスト表示領域４３２の「インスタンス数」欄には、画像データの場合にはシリーズに含まれる画像数が表示され、ＫＯＳＤデータの場合にはシリーズに含まれるテキスト数が表示される。オブジェクト表示領域４３３は、画像データの場合にはシリーズに含まれる画像のサムネイル画像が表示される領域であり、ＫＯＳＤデータの場合には観察内容（テキスト）が表示される領域である。
【００６２】
図１２に、画像ビューワ端末４０の表示部４３に表示される読影画面４３４の例を示す。読影画面４３４には、画像表示領域４３５、観察内容表示領域４３６が含まれる。画像表示領域４３５は、同一患者、同一検査に属する各シリーズの画像が表示される領域である。観察内容表示領域４３６は、撮影時における観察内容が表示される領域である。
【００６３】
読影医は、表示部４３に表示された観察内容を参照しつつ読影を行い（ステップＳ１２）、操作部４２からの操作により、診断内容を入力する。入力された診断内容は、制御部４１により、通信部４４を介してレポートシステム５０に送信される。レポートシステム５０では、画像ビューワ端末４０において読影医が入力した診断内容に基づいて、読影レポートが生成され、保管される。
【００６４】
検査を依頼した医師は、電子カルテシステム６０からレポートシステム５０に保管されている読影レポートを参照する。
【００６５】
以上説明したように、コンソール２０によれば、患者を撮影して得られた画像データをモダリティ１０から取得し、操作部２２から入力された観察内容を画像データと対応付けて画像管理サーバ３０に送信することができる。したがって、観察内容が画像データと対応付けられるので、画像ビューワ端末４０において読影を行う際に、撮影時の観察内容を利用することができる。
【００６６】
また、コンソール２０は、入力された観察内容をＤＩＣＯＭ準拠ＫＯＳＤデータとして画像管理サーバ３０に送信するので、ＫＯＳＤデータを用いて観察内容を記録することができる。ＤＩＣＯＭ準拠ＫＯＳＤデータを用いることでＤＩＣＯＭ準拠画像データとの親和性が高くなり、一般的な装置にて観察内容を扱うことができる。市販の画像管理サーバやビューワの９０％はＫＯＳＤに対応しているため、読影医が使いやすい製品を使って読影を行うことができる。
【００６７】
また、診療放射線技師が患者本人と接することから感じたコメントや伝達事項をコンソール２０にて入力することで、読影医に対してメッセージを伝えることができ、医療の質を向上させることができる。画像ビューワ端末４０では、読影医が診療放射線技師の意見を取り入れることで読影精度が向上する。読影医がこのメッセージを読影レポートに反映させた場合には、検査を依頼した医師にもメッセージを伝えることができる。
【００６８】
また、観察内容を記録する際に、診療放射線技師がＤＩＣＯＭタグの患者コメント（Patient Comment）等を使ってしまうと、医師の入力と競合する場合があるが、ＫＯＳＤデータは検査に対して複数個生成することができるため、読影医の作成するＫＯＳＤデータとは競合することなく使用することができる。
【００６９】
なお、上記実施の形態における記述は、本発明に係る撮影制御装置の例であり、これに限定されるものではない。装置を構成する各部の細部構成及び細部動作に関しても本発明の趣旨を逸脱することのない範囲で適宜変更可能である。
【００７０】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【産業上の利用可能性】
【００７１】
本発明に係る撮影制御装置及びプログラムは、モダリティで患者を撮影する医療分野において利用可能性がある。
【符号の説明】
【００７２】
１０  モダリティ
２０  コンソール
２１  制御部
２２  操作部
２３  表示部
２４  通信部
２５  ＲＯＭ
２６  記憶部
２７  通信Ｉ／Ｆ
２８  バス
３０  画像管理サーバ
３１  制御部
３２  操作部
３３  表示部
３４  通信部
３５  ＲＯＭ
３６  記憶部
３７  バス
４０  画像ビューワ端末
４１  制御部
４２  操作部
４３  表示部
４４  通信部
４５  ＲＯＭ
４６  記憶部
４７  バス
５０  レポートシステム
６０  電子カルテシステム
１００  医用画像システム
２３１  コンソール画面
２３２  患者ＩＤ表示領域
２３３  撮影日表示領域
２３４  医用画像表示領域
２３５  観察テキスト表示領域
４３１  リスト画面
４３２  リスト表示領域
４３３  オブジェクト表示領域
４３４  読影画面
４３５  画像表示領域
４３６  観察内容表示領域
Ｎ  通信ネットワーク
【図１】
2011083608.tif 000003
【図２】
2011083608.tif 000004
【図３】
2011083608.tif 000005
【図４】
2011083608.tif 000006
【図５】
2011083608.tif 000007
【図６】
2011083608.tif 000008
【図７】
2011083608.tif 000009
【図８】
2011083608.tif 000010
【図９】
2011083608.tif 000011
【図１０】
2011083608.tif 000012
【図１１】
2011083608.tif 000013
【図１２】
2011083608.tif 000014
【国際調査報告】
2011083608.tif 000015
2011083608.tif 000016